(57)【要約】【課題】ベッドの背上げ装置において、背ボトムを起こしていった際の背ズレを防止することを可能にすること。【解決手段】メインフレームに脚ボトム、固定ボトムおよび背ボトムが配設され、前記背ボトムを回転させて背上げを行うベッドにおいて、前記背ボトムを起こす際にある任意の背上げ角において、前記背ボトムの回転支点を変更し、前記背ボトムの末端側に前記背ボトムの回転支点となる異なる回転軸の複数のローラーを備え、前記複数のローラーが、メインフレーム下部に、床と平行に設けられたガイドレールの上を移動しながら背上げを行い、前記異なる回転軸の複数のローラーが、背ボトムを起こして背上げを行った際に異なる背上げ角および位置でガイドレールに接するベッドの背上げ装置。【選択図】図１
2005237492.tif 000002
【特許請求の範囲】
【請求項１】
メインフレームのヘッドボード側に少なくとも前後移動および揺動可能な背ボトムが配設され、該背ボトムをメインフレームの長手方向の中央部に固定された固定ボトム側の端部を支点として、前後移動させつつ揺動させることにより背上げを行うベッドの背上げ装置において、
前記背ボトムの揺動支点が、複数の揺動支点によって構成され、
前記背ボトムの角度範囲によって作用する揺動支点が異なる
ことを特徴とするベッドの背上げ装置。
【請求項２】
請求項１において、
前記複数の揺動支点が、回転自在に配設された複数のローラによって構成されている
ことを特徴とするベッドの背上げ装置。
【請求項３】
請求項２において、
前記複数のローラが、床と平行にメインフレームの長手方向に形成されたガイドレール内に回動自在に介挿されている
ことを特徴とするベッドの背上げ装置。
【請求項４】
請求項３において、
前記複数の揺動支点が、前記背ボトムのベッドの長手方向において異なった位置に配置され、作用する揺動支点によって前記背ボトムの揺動半径が異なっている
ことを特徴とするベッドの背上げ装置。
【請求項５】
請求項４において、
前記複数の揺動支点が、背ボトムの揺動方向において一定の角度離れて配置されている
ことを特徴とするベッドの背上げ装置。
【請求項６】
請求項５において、
前記複数の揺動支点が、前記固定ボトム側の端部に形成された略Ｊの字状の突出端部の開放端と該開放端から一定距離離れた屈曲部とに配設されている
ことを特徴とするベッドの背上げ装置。
【請求項７】
請求項６において、
前記固定ボトムとフットボードとの間のメインフレームに脚ボトムが、並設されている
ことを特徴とするベッドの背上げ装置。
【発明の詳細な説明】
【技術分野】
【０００１】
本発明は、メインフレームのヘッドボード側に少なくとも前後移動および揺動可能な背ボトムが配設され、該背ボトムをメインフレームの長手方向の中央部に固定された固定ボトム側の端部を支点として、前後移動させつつ揺動させることにより背上げを行うベッドの背上げ装置に関するものであって、背上げを行った際の背ズレを防ぐことを可能にするものである。
【背景技術】
【０００２】
従来のベッドにおける背上げ機構は、背ボトムの背枠フレームの片側をローラーでガイドレール上を移動可能にし、直動駆動機構で駆動させ背枠を傾斜させる機構であった（例えば特許文献１参照。）。
【特許文献１】特開２０００−６０９０７号公報
【０００３】
従来のベッドにおける背上げ機構は、曲率をもったガイドレール上を背ボトムの末端側のローラーで移動可能にした機構であった（例えば特許文献２参照。）。
【特許文献２】特開２０００−１４００３９号公報
【発明の開示】
【発明が解決しようとする課題】
【０００４】
上記従来のベッドにおける背上げ機構は、背ボトムの角度が高くなると背ボトムの延びが少ない事により、背ズレが大きいという問題点があった。
【０００５】
上記従来のベッドにおける背上げ機構は、ガイドレールが曲率を持っている為、背ボトムの頭側への延びが少ない事により背ズレが大きいという問題点があった。
【０００６】
そこで本発明者は、メインフレームのヘッドボード側に少なくとも前後移動および揺動可能な背ボトムが配設され、該背ボトムをメインフレームの長手方向の中央部に固定された固定ボトム側の端部を支点として、前後移動させつつ揺動させることにより背上げを行うベッドの背上げ装置において、前記背ボトムの揺動支点を、複数の揺動支点によって構成し、背上げ時前記背ボトムの角度範囲によって作用する揺動支点を変えるという本発明の技術的思想に着眼し、さらに研究開発を重ねた結果、背ボトムを起こしていった際の背ズレを防止するという目的を達成する本発明に到達した。
【課題を解決するための手段】
【０００７】
本発明（請求項１に記載の第１発明）のベッドの背上げ装置は、
メインフレームのヘッドボード側に少なくとも前後移動および揺動可能な背ボトムが配設され、該背ボトムをメインフレームの長手方向の中央部に固定された固定ボトム側の端部を支点として、前後移動させつつ揺動させることにより背上げを行うベッドの背上げ装置において、
前記背ボトムの揺動支点が、複数の揺動支点によって構成され、
前記背ボトムの角度範囲によって作用する揺動支点が異なる
ものである。
【０００８】
本発明（請求項２に記載の第２発明）のベッドの背上げ装置は、
前記第１発明において、
前記複数の揺動支点が、回転自在に配設された複数のローラによって構成されているものである。
【０００９】
本発明（請求項３に記載の第３発明）のベッドの背上げ装置は、
前記第２発明において、
前記複数のローラが、床と平行にメインフレームの長手方向に形成されたガイドレール内に回動自在に介挿されている
ことを特徴とするベッドの背上げ装置。
【００１０】
本発明（請求項４に記載の第４発明）のベッドの背上げ装置は、
前記第３発明において、
前記複数の揺動支点が、前記背ボトムのベッドの長手方向において異なった位置に配置され、作用する揺動支点によって前記背ボトムの揺動半径が異なっている
ものである。
【００１１】
本発明（請求項５に記載の第５発明）のベッドの背上げ装置は、
前記第４発明において、
前記複数の揺動支点が、背ボトムの揺動方向において一定の角度離れて配置されている
ものである。
【００１２】
本発明（請求項６に記載の第６発明）のベッドの背上げ装置は、
前記第５発明において、
前記複数の揺動支点が、前記固定ボトム側の端部に形成された略Ｊの字状の突出端部の開放端と該開放端から一定距離離れた屈曲部とに配設されている
ものである。
【００１３】
本発明（請求項７に記載の第７発明）のベッドの背上げ装置は、
前記第６発明において、
前記固定ボトムとフットボードとの間のメインフレームに脚ボトムが、並設されている
ものである。
【発明の効果】
【００１４】
上記構成より成る第１発明のベッドの背上げ装置は、メインフレームのヘッドボード側に少なくとも前後移動および揺動可能な背ボトムが配設され、該背ボトムをメインフレームの長手方向の中央部に固定された固定ボトム側の端部を支点として、前後移動させつつ揺動させることにより背上げを行うベッドの背上げ装置において、前記背ボトムの揺動支点が、複数の揺動支点によって構成され、前記背ボトムの角度範囲によって異なる揺動支点が作用するので、背上げ角が大きくなってきた時において前記背ボトムを使用者の頭側に延ばすことができるため、背ズレを防止することを可能にするという効果を奏する。
【００１５】
上記構成より成る第２発明のベッドの背上げ装置は、前記第１発明において、前記複数の揺動支点が、回転自在に配設された複数のローラによって構成されているので、背上げを行う際において、前記ローラのころがりにより前記背ボトムの滑らかな揺動を可能にするという効果を奏する。
【００１６】
上記構成より成る第３発明のベッドの背上げ装置は、前記第２発明において、床と平行にメインフレームの長手方向に形成されたガイドレール内に介挿されている前記複数のローラが、回動して前記ガイドレール内を移動するので、背上げ角が大きくなってきた時において前記背ボトムを使用者の頭側に延ばすことができるため、背ズレを防止することを可能にするという効果を奏する。
【００１７】
上記構成より成る第４発明のベッドの背上げ装置は、前記第３発明において、前記複数の揺動支点が、前記背ボトムのベッドの長手方向において異なった位置に配置され、作用する揺動支点によって前記背ボトムの揺動半径が異なっているので、前記背ボトムの揺動角度が大きくなったときの前記背ボトムの延びを確保するので、背ズレが大きくなることを防止するという効果を奏する。
【００１８】
上記構成より成る第５発明のベッドの背上げ装置は、前記第４発明において、前記複数の揺動支点としての前記複数のローラが、背ボトムの揺動方向において一定の角度離れて配置されているので、前記複数のローラの角度によって前記複数のローラが選択的に作用する前記背ボトムの揺動角度範囲を設定することが出来るという効果を奏する。
【００１９】
上記構成より成る第６発明のベッドの背上げ装置は、前記第５発明において、前記複数の揺動支点が、前記固定ボトム側の端部に形成された略Ｊの字状の突出端部の開放端と該開放端から一定距離離れた屈曲部とに配設されているので、前記背ボトムの揺動角度範囲によって、揺動支点の選択的作用を確実にするという効果を奏する。
【００２０】
上記構成より成る第７発明のベッドの背上げ装置は、前記第６発明において、前記固定ボトムとフットボードとの間のメインフレームに脚ボトムが並設されているので、前記脚ボトムの制御を可能にするという効果を奏する。
【発明を実施するための最良の形態】
【００２１】
以下本発明の最良の実施の形態につき実施例に基づき、図面を用いて具体的に説明する。
【実施例】
【００２２】
本実施例のベッドの背上げ装置は、図１に示されるようにメインフレーム１０上に背ボトム２と、固定ボトム３および脚ボトム４が並設され、前後移動可能な前記背ボトム２を、メインフレームの長手方向の中央部に固定された固定ボトム側の端部を支点５として、前後移動させつつ揺動させることにより背上げを行うベッドの背上げ装置において、前記背ボトムの揺動支点５が、複数の揺動支点としての複数のローラ５１、５２によって構成され、前記背ボトムの角度範囲によって作用するローラが異なり、選択的に作用するものである。
【００２３】
本実施例のベッドの背上げ装置は、図２に示されるようにベッド１のメインフレーム１０の頭側の端部にヘッドボード１１が垂直に取り付けられるとともに、脚側の端部にフットボード１２が垂直に取り付けられている。前記メインフレーム１０上に前記フットボード１２側から脚ボトム４、固定ボトム３および背ボトム２の順で配設されている。
【００２４】
前記背ボトム２は、底面側に配設されたピン２１とメインフレームの頭部寄りの部位に配設されたピン１０２とを連結する背ボトム支持杆２２によって支持され  前記背ボトム２の底面側に配設されたピン２１の位置は、メインフレームの頭部寄りの部位に配設されたピン１０２を中心にした前記背ボトム支持杆２２の長さを半径とする円弧上において移動するように規制されるように構成されている。
【００２５】
前記メインフレーム１０の長手方向の略中央において、床と平行にメインフレームの長手方向に上方に開口したガイドレール１０１が形成され、前記背ボトム２の前記固定ボトム３側の端部に一体的に形成された略Ｊの字状の突出端部５０の開放端と該開放端から一定距離離れた屈曲部とに配設された複数のローラ５１、５２が回動自在に介挿され、前記背ボトム２の背上げに伴う揺動角度に応じて、前記複数のローラ５１、５２が、前記ガイドレール１０１内を前後に移動するように構成されている。
【００２６】
すなわち前記複数の揺動支点としての複数のローラ５１、５２が、図７に示されるように前記背ボトム２のベッド１の長手方向Ｌにおいて異なった位置Ｌ１、Ｌ２に配置され、一定距離ΔＬだけ離れているので、作用する揺動支点としての複数のローラ５１、５２によって前記背ボトム２の有効揺動半径がΔＬだけ実質的に異なっているのである。
【００２７】
また図４および図７に示されるように前記複数の揺動支点としての複数のローラ５１、５２が、水平なガイドレール１０１の面に接触する状態において、前記背ボトム２の揺動方向において一定の角度Δαだけ離れて配置されているのである。すなわち略Ｊの字状の突出端部５０の固着部とローラ５１の中心とを結んだ線と垂直線とのなす角α１と、略Ｊの字状の突出端部５０の固着部とローラ５２の中心とを結んだ線と垂直線とのなす角α２との差はΔαである。この時の前記背ボトム２の水平面であるベッド１のメインフレーム１０の面とのなす角はβである。
【００２８】
すなわち、略Ｊの字状の突出端部５０の固着部とローラ５１の中心とを結んだ線と前記背ボトム２の長手方向Ｌとのなす迎い角γ１は、（π／２−α１−β）であり、略Ｊの字状の突出端部５０の固着部とローラ５２の中心とを結んだ線と前記背ボトム２の長手方向Ｌとのなす迎い角γ２は、（π／２−α２−β）である。
【００２９】
図４および図７に示されるようにローラ５１およびローラ５２が共に水平なガイドレール１０１の面に接触する状態（ベッドの背上げ角β）を境界として、背上げ角が小さい領域においては前記ローラ５１が前記ガイドレール１０１のフットボード１２よりの部位に当接し、背上げ角が大きい領域においては前記ローラ５２が前記ガイドレール１０１のヘッドボード１１よりの部位に当接するのであり、作用するローラの角度範囲を設定することが出来るのである。該ガイドレール内のローラの当接部位とローラの有効揺動半径の差ΔＬとの相乗作用により、前記背ボトム２を使用者の頭側である上方に有効に持ち上げるように構成されている。
【００３０】
背上げアーム６は、一方のアーム部分６１が他方のアーム部分６２に比べて数倍長い略Ｌ字状の部材によって構成され、中央の屈曲部６０がメインフレーム１０の中央頭側に配設されたピンに揺動自在に枢支され、前記背ボトム２の下部のガイドレールに沿って移動する移動部材の一端に配設されたピンに長辺である前記一方のアーム部分６１の一端６１１が枢支されている。
【００３１】
アクチュエータ７は、ベッド１の前後方向に伸縮自在に挿入された作動杆７１を備えた電動アクチュエータ７０によって構成され、該電動アクチュエータ７０の一端７０１が前記ベッド１のメインフレーム１０の頭側の端部の下部に配設されたピンに揺動自在に枢支され、前記作動杆７１の一端７１１が、前記背上げアーム６の前記他方のアーム部分６２の一端に配設されたピンに相対回転自在に枢支されている。
【００３２】
駆動用電気的入力の投入による前記アクチュエータ７の前記作動杆７１の伸縮により、前記ガイドレール１０１内を前後に移動する前記複数のローラ５１、５２を支点として、前記背上げアーム６が反時計方向に揺動して、背ボトム２の背上げを可能にするように構成されている。
【００３３】
次に前記実施例のベッドの背上げ装置における背上げ動作について、図面を用いて説明する。
【００３４】
図２は、背ボトム７が床と平行の通常状態の説明図であり、このとき前記電動アクチュエーター７の作動杆７１が、フットボード１２側に伸びきった状態で、前記背ボトムの末端部である前記Ｊ字状の突出端部５０も同様に前記フットボード１２側の固定ボトム３の下部にある。開放端側の一方のローラー５１が前記ガイドライン上に接触しており、他方のローラー５２は前記ガイドライン２１上に接触していない。
【００３５】
図３に示される状態から、電動アクチュエーター７により作動杆７１をヘッドボード１１側へ引っ張ると、屈曲した背上げアームの先端側の前記Ｊ字状の突出端部５０はローラ５１を中心として反時計方向上方へ回動する。
【００３６】
このとき、前記背ボトム支持杆２２で連結されたメインフレーム側のピン１０２と前記背ボトム２の底面側のピン２１との距離すなわち背ボトム支持杆の長さは規制されているので、前記背ボトム２はメインフレーム１０、背ボトム２、一端６１１が前記背ボトム２の下部のガイドレールに沿って移動する背上げアーム６および背上げ支持杆２２で構成されるリンク機構により、前記背ボトム２の末端部のガイドレール１０１上に接地、接触しているローラー５１を回動中心として、背ボトム２が起き上がるように回動すなわち揺動し、それと同時にローラー５１の転動により、前記背ボトム２の末端側の前記ローラー５１、５２はガイドレール１０１上をヘッドボード側に移動する。
【００３７】
図４は、背上げを開始してローラー５１の転動により背ボトム末端側がヘッドボード側に移動し、背ボトムが起き上がってきてローラー５２もガイドレール１０１上に接地した時の状態図で、このときローラー５１および５２はともにガイドレール１０１上に接触している。
【００３８】
図４に示される状態からさらに背上げを行った状態を示すのが図５であり、前記ローラー５１が前記ガイドレール１０１上から離れ、逆に前記ローラー５２が前記ガイドレール１０１上に接触して前記背ボトム２の揺動における有効径が増加した状態を示している。
【００３９】
すなわち、前記背ボトム２の前記固定ボトム３側の端部に一体的に形成された略Ｊ字状の突出端部５０の開放端から一定距離離れた屈曲部に配設されたローラ５２が、回動自在に介挿され、前記ガイドレール１０１上に接触するので、略Ｊ字状の突出端部５０の開放端に配設されたローラ５１が前記ガイドレール１０１上に接触している時に比べて、前記背ボトム２の揺動における有効径が大きいため、従来における前記背ボトム２を下方に引っ張る現象を回避すべく、前記背ボトム２を使用者の頭側である上方に持ち上げることになるのである。
【００４０】
図６は、前記背ボトム２の末端側の支点を最もヘッドボード側に移動させ、前記ローラ５１が前記ガイドレール１０１の垂直壁に当接して規制された状態、すなわち背ボトムが最も起き上がった状態を示している。
【００４１】
上記作用を奏する本実施例のベッドの背上げ装置は、図５に示される前記背ボトム２を起こす際に、ある任意の背上げ角において、前記背ボトム２の回転支点をローラ５２に変更するので、背上げ角が大きくなってきた時においても効果的に背ボトムを使用者の頭側に延ばすことができ、背ズレを防止することを可能にするという効果を奏する。
【００４２】
また本実施例のベッドの背上げ装置は、前記背ボトム２の末端側に前記背ボトムの回転支点となる異なる回転軸のローラー５１、５２を備えたので、ある任意の背上げ角において回転支点となるローラー５１をローラー５２に変更することにより、背上げ角が大きくなってきた時においても効果的に背ボトムを使用者の頭側に延ばすことができ、背ズレを防止することを可能にするという効果を奏する。
【００４３】
さらに本実施例のベッドの背上げ装置は、前記ローラー５１、５２が、前記メインフレーム１０の下部に、床と平行に設けられたガイドレール１０１の上を滑りながら背上げを行うので、円滑に背上げを行うことができ、また背ボトム２の全体がヘッドボード１１側にずれながら背上げを行うので、使用者が背ボトム２の起き上がる力によって前方へ押し出されることもなく、腹部への圧迫感を防ぐことを可能にするという効果を奏する。
【００４４】
また本実施例のベッドの背上げ装置は、前記異なる回転軸のローラーが、背ボトムを起こして背上げを行った際に異なる背上げ角でガイドレール１０１に接するので、図４に示される両ローラ５１、５２が共にガイドレール１０１に接する角度を境に、図５に示されるように背上げ角が大きくなってきた時においても、前記ガイドレール１０１のヘッドボード側の部位に接するように移動してローラ５２が効果的に前記背ボトム２を使用者の頭側に延ばすことができ、背ズレを防止することを可能にするという効果を奏する。
【００４５】
逆に、図４および図７に示される両ローラ５１、５２が共にガイドレール１０１に接する角度を境に、図３に示されるように背上げ角が小さくなった時においては、ローラ５１がガイドレール１０１に接して、背ズレが少ない背上げ角が小さい場合の背上げを実現するものである。
【００４６】
さらに本実施例のベッドの背上げ装置は、前記異なる回転軸のローラー５１、５２が、前記背ボトム２を起こして背上げを行った際に異なる背上げ角度範囲において、一方のローラ５２が選択的に前記ガイドレール１０１に接するとともに移動するので、背上げ角が大きくなってきた時においても、効果的に背ボトムを使用者の頭側に図１および図７におけるΔＬだけ実質的に延ばすことができ、背ズレを防止することを可能にするという効果を奏する。
【００４７】
また本実施例のベッドの背上げ装置は、前記複数の揺動支点としての前記複数のローラ５１、５２が、前記背ボトム２の揺動方向において一定の角度離れて配置され、前記複数のローラ５１、５２がともに前記ガイドレール１０１に接触する状態の前記複数のローラ５１、５２の角度によって前記複数のローラ５１、５２が選択的に作用するように前記背ボトムの揺動角度範囲を設定することが出来るという効果を奏する。
【００４８】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【００４９】
また上述の実施例は、一例として図２に示されるように背ボトムの固定ボトム側の端部に背ボトムの回転支点となる異なる回転軸の２個のローラーを備えた例について説明したが、本発明としては図示したものに限定されるものではなく、必要に応じて例えば背ボトムの固定ボトム側の端部に配設するコの字状、またはＵ字状の突出部に３個以上のローラを配設する実施形態に適用することが出来るものである。
【産業上の利用可能性】
【００５０】
メインフレームに脚ボトム、固定ボトムおよび背ボトムが配設され、前記背ボトムを回転揺動させて背上げを行うベッドにおいて、前記背ボトムを起こす際にある任意の背上げ角において、前記背ボトムの回転支点を変更し、前記背ボトムの固定ボトム側の端部に前記背ボトムの揺動支点となる異なる回転軸のローラーを備え、前記ローラーが、メインフレーム下部に、床と平行に設けられたガイドレールの上を滑りながら背上げを行い、前記異なる回転軸のローラーが、背ボトムを起こして背上げを行った際に、異なった背上げ角でガイドレールの異なった部位に接するようにすることにより、使用者への腹部の圧迫や背ズレを防止し、快適な使用感を与えることが要求される用途にも適用できる。
【図面の簡単な説明】
【００５１】
【図１】本発明の実施例のベッドの背上げ装置の可動部位の作動過程を示す作動説明図である。
【図２】本実施例のベッドの背上げ装置の全体の作動過程を示す詳細作動説明図である。
【図３】本実施例のベッドの背上げ装置の背ボトムが床と水平で、一方のローラーがガイドレール上に接地している通常の平行状態を示す説明図である。
【図４】本実施例のベッドの背上げ装置の作動過程で、両方のローラーがガイドレール上に接地して作用するローラが切り換わる角度範囲の境界状態を示す説明図である。
【図５】本実施例のベッドの背上げ装置の作動過程で、他方のローラーがガイドレール上に接地して後方に移動した状態を示した説明図である。
【図６】本実施例のベッドの背上げ装置の作動過程で他方のローラーがガイドレール上に接地して後端位置に到達した最大背上げ角度の状態を示す説明図である。
【図７】本実施例のベッドの背上げ装置の作動過程で、両方のローラがガイドレール上に接地している状態における両方のローラの位置関係、寸法関係を示す部分拡大説明図である。
【符号の説明】
【００５２】
１  ベッド
２  背ボトム
３  固定ボトム
４  脚ボトム
５  揺動支点
１０  メインフレーム
５１、５２  ローラ
【図１】
2005237492.tif 000003
【図２】
2005237492.tif 000004
【図３】
2005237492.tif 000005
【図４】
2005237492.tif 000006
【図５】
2005237492.tif 000007
【図６】
2005237492.tif 000008
【図７】
2005237492.tif 000009